(57)【要約】【課題】  開示の名古屋帯は、帯の装着が容易であることに加え、１組で４つの柄を楽しむことができ、帯柄の変更作業も容易である。【解決手段】  開示の名古屋帯は、垂れが、袋形の形状であって、垂れが成す袋の内側及び外側が相互に入れ替え自在であり、４つの柄が、垂れが成す袋の外側の表面・裏面及び垂れが成す袋の内側の表面・裏面に、重複が無いように一つずつ配置され、垂れに続く手が、着用者の胴部分に二重に巻いて着用する形態であり、４つの柄が、手の前半部の表面・裏面並びに手の後半部の表面・裏面に、重複の無いように一つずつ配置され、手先が、袋形の形状であって、手先が成す袋の内側及び外側が相互に入れ替え自在であり、４つの柄が、手先が成す袋の外側の表面・裏面及び手先が成す袋の内側の表面・裏面に、重複が無いように一つずつ配置されることを特徴とする。【選択図】図１
2014088642.tif 000002
【特許請求の範囲】
【請求項１】
柄が異なる四種類の帯として使用することができ、全幅の垂れ、半幅の手及び半幅の手先の順に続く名古屋帯であって、
前記垂れが、袋形の形状であって、該垂れが成す該袋の内側及び外側が相互に入れ替え自在であり、それぞれ異なる第一の柄、第二の柄、第三の柄及び第四の柄が、前記垂れが成す袋の外側の表面及び裏面並びに前記垂れが成す袋の内側の表面及び裏面に、重複が無いように一つずつ配置され、
前記垂れに続く前記手が、当該名古屋帯着用者の胴部分に二重に巻いて着用する形態であり、前記手の前半部の表面及び裏面並びに前記手の後半部の表面及び裏面に、前記第一の柄、第二の柄、第三の柄及び第四の柄が、重複が無いように一つずつ配置され、
前記手先が、袋形の形状であって、該手先が成す該袋の内側及び外側が相互に入れ替え自在であり、前記第一の柄、第二の柄、第三の柄及び第四の柄が、前記手先が成す袋の外側の表面及び裏面並びに前記手先が成す袋の内側の表面及び裏面に、重複が無いように一つずつ配置されることを特徴とする名古屋帯。
【請求項２】
前記手先の表側に現れる柄が、前記手の前半部の表面又は前記手の後半部の裏面に配置され、
前記手先の裏側に現れる柄が、前記手の前半部の裏面又は前記手の後半部の表面に配置されることを特徴とする請求項１に記載の名古屋帯。
【請求項３】
前記垂れが成す袋の片側面にのみ、帯芯が装着され、
前記手先が成す袋の片側面にのみ、帯芯が装着されることを特徴とする請求項１又は２に記載の名古屋帯。
【発明の詳細な説明】
【技術分野】
【０００１】
和服の名古屋帯の技術に関する。
【背景技術】
【０００２】
フォーマルな用途で使用する和服の帯として袋帯を挙げるならば、カジュアルな帯として名古屋帯と呼ばれるものが有る。名古屋帯は、袋帯よりも簡単に締めることができ、素材や柄などで使い分けることによって、普段使いだけではなく、多少改まった場所でも締められる、とても重宝な帯である。
【０００３】
また、名古屋帯には幾つかの仕立て方があり、仕立て方で形が異なるのであるが、一般的な仕立て方である名古屋仕立てでは、着用者の胴に巻く部位から手先まで半幅に折って仕立てられる。
【０００４】
一方、一般的に和服の帯１本に対し柄は１つであり、和服の帯は高価なものであって、各人が多数の帯を保有することは金銭的負担の観点から難しい場合が多い。また、多数の帯を保有する場合であっても、日本の住宅事情を勘案すると、狭い家の中で帯の収納スペースを確保することは簡単なことではない。
【０００５】
上記のような事情から、和服の帯１本に多数の柄を配置し、１本であっても、柄の異なる複数の帯として使用することができる帯に関し多数の提案がなされている。例えば、特許文献１乃至６では、１本で２種類の柄を楽しむことができる名古屋帯が提案されている。
【先行技術文献】
【特許文献】
【０００６】
【特許文献１】実開昭４８−９２１２７号公報
【特許文献２】実開昭５７−３５３２４号公報
【特許文献３】実開昭５４−７６８１４号公報
【特許文献４】実開昭５３−７７０２８号公報
【特許文献５】実開昭５２−５４２２６号公報
【特許文献６】実公昭７−８８１８号公報
【発明の概要】
【発明が解決しようとする課題】
【０００７】
しかしながら、上記の従来技術においては、帯一本当たりの楽しめる帯柄の数が少ないという問題点があった。
【０００８】
そこで本発明では、上記問題点に鑑み、帯の装着が容易であることに加え、１組で４つの帯柄を楽しむことができ、帯柄の変更作業も容易である名古屋帯を提供することを目的とする。
【課題を解決するための手段】
【０００９】
開示する名古屋帯の一形態は、柄が異なる四種類の帯として使用することができ、全幅の垂れ、半幅の手及び半幅の手先の順に続く名古屋帯であって、前記垂れが、袋形の形状であって、該垂れが成す該袋の内側及び外側が相互に入れ替え自在であり、それぞれ異なる第一の柄、第二の柄、第三の柄及び第四の柄が、前記垂れが成す袋の外側の表面及び裏面並びに前記垂れが成す袋の内側の表面及び裏面に、重複が無いように一つずつ配置され、前記垂れに続く前記手が、当該名古屋帯着用者の胴部分に二重に巻いて着用する形態であり、前記手の前半部の表面及び裏面並びに前記手の後半部の表面及び裏面に、前記第一の柄、第二の柄、第三の柄及び第四の柄が、重複が無いように一つずつ配置され、前記手先が、袋形の形状であって、該手先が成す該袋の内側及び外側が相互に入れ替え自在であり、前記第一の柄、第二の柄、第三の柄及び第四の柄が、前記手先が成す袋の外側の表面及び裏面並びに前記手先が成す袋の内側の表面及び裏面に、重複が無いように一つずつ配置されることを特徴とする。
【００１０】
また、開示する名古屋帯の一形態は、上記構成に加え、前記手先の表側に現れる柄が、前記手の前半部の表面又は前記手の後半部の裏面に配置され、前記手先の裏側に現れる柄が、前記手の前半部の裏面又は前記手の後半部の表面に配置されることを特徴とする。
【００１１】
また、開示する名古屋帯の一形態は、上記構成に加え、前記垂れが成す袋の片側面にのみ、帯芯が装着され、前記手先が成す袋の片側面にのみ、帯芯が装着されることを特徴とする。
【発明の効果】
【００１２】
開示する名古屋帯は、帯の装着が容易であることに加え、１組で４つの帯柄を楽しむことができ、帯柄の変更作業も容易である
【図面の簡単な説明】
【００１３】
【図１】本実施の形態に係る名古屋帯の斜視図である。
【図２】本実施の形態に係る名古屋帯の分解図である。
【図３】（ａ）本実施の形態に係る名古屋帯の平面図（垂れ、手先が成す袋の外側が表に出ている場合）である。（ｂ）本実施の形態に係る名古屋帯の底面図（垂れ、手先が成す袋の外側が表に出ている場合）である。
【図４】（ａ）本実施の形態に係る名古屋帯の平面図（垂れ、手先が成す袋の内側が表に出ている場合）である。（ｂ）本実施の形態に係る名古屋帯の底面図（垂れ、手先が成す袋の内側が表に出ている場合）である。
【図５】本実施の形態に係る名古屋帯の使用方法を説明するための図（その１）である。
【図６】本実施の形態に係る名古屋帯の使用方法を説明するための図（その２）である。
【図７】本実施の形態に係る名古屋帯の使用方法を説明するための図（その３）である。
【図８】本実施の形態に係る名古屋帯の使用方法を説明するための図（その４）である。
【図９】本実施の形態に係る名古屋帯の使用方法を説明するための図（その５）である。
【図１０】本実施の形態に係る名古屋帯の使用方法を説明するための図（その６）である。
【図１１】本実施の形態に係る名古屋帯の使用方法を説明するための図（その７）である。
【図１２】本実施の形態に係る名古屋帯の使用方法を説明するための図（その８）である。
【図１３】本実施の形態に係る名古屋帯の使用方法を説明するための図（その９）である。
【図１４】本実施の形態に係る名古屋帯の使用方法を説明するための図（その１０）である。
【図１５】本実施の形態に係る名古屋帯の使用方法を説明するための図（その１１）である。
【図１６】本実施の形態に係る名古屋帯の使用方法を説明するための図（その１２）である。
【発明を実施するための形態】
【００１４】
図面を参照しながら、本発明を実施するための形態について説明する。
（本実施の形態に係る名古屋帯の構造）
【００１５】
図１乃至４を用いて、本実施の形態に係る名古屋帯１の構造について説明する。図１は、名古屋帯１の全体像を説明するための斜視図であり、図２は、名古屋帯１の構成をより分かり易く説明するための分解図である。また、図３は、名古屋帯１の特徴を詳細に説明するための図であり、垂れ２及び手先３２が成す袋４、３４の外側６、３６が表に出ている場合の態様を示している。一方、図４も、名古屋帯１の特徴を詳細に説明するための図であるが、垂れ２及び手先３２が成す袋４、３４の内側１２、４２が表に出ている場合、つまり２つの袋４、３４をひっくり返したときの態様を示している。
【００１６】
図３及び４で示すように、名古屋帯１は、名古屋仕立てで仕立てられた名古屋帯であり、垂れ（お太鼓）２の部位は全幅であるが、着用者６０の胴に巻く手１８から手先３２までは半幅に折って仕立てられている。また、名古屋帯１は、１本の帯でありながら、それぞれ異なる第一の柄Ａ、第二の柄Ｂ、第三の柄Ｃ及び第四の柄Ｄを別々に表にして、４通りの帯柄を楽しむことができる。
図１乃至４で示すように、名古屋帯１は、垂れ２、手１８、手先３２を有し、垂れ２、手１８、手先３２は、この順序でひと続きになっている。
【００１７】
垂れ２は、着用者６０の背中にお太鼓を作る部位であり、垂れ２は、袋形の形状をしている。そのため、垂れ２は、垂れ２が成す袋４をひっくり返すことによって、袋の外側６と内側１２を相互に入れ替え、外側６・内側１２の何れかを表にすることができる。
【００１８】
垂れ２は、袋形であり、かつ、平面的な構造であるため、袋の外側６表裏で２つ、袋の内側１２表裏で２つ、合計４つの面を備えている。そして、垂れ２では、袋外側６の表面８・裏面１０、袋内側１２の表面１４・裏面１６の４つの面それぞれに、それぞれ異なる第一の柄Ａ、第二の柄Ｂ、第三の柄Ｃ及び第四の柄Ｄが重複しないように一つずつ配置される。このような構造を採用しているため、垂れ２は、袋４をひっくり返したり、垂れ２で作るお太鼓の表に出てくる面を変更したりすることによって、異なる４つの帯柄のお太鼓を作ることができる。
【００１９】
垂れ２は、袋４の片側面だけに帯芯が装着された構造である。つまり、垂れ２は、袋の外側表面８・内側表面１４の間、又は袋の外側裏面１０・内側裏面１６の間のどちらか一方にのみ帯芯を装着する構造である。なお、帯芯は、帯の形を保つために入れる芯布であり、厚い綿布、三河木綿・河内木綿などが使用される。こうすることによって、垂れ２の形を保たせた上で、垂れ２の厚みを薄くすることができる（帯芯２枚分だけ薄くすることができる）ので、収納スペースを小さくすることができる。また、こうすることによって、袋４がひっくり返し易くなるという効果も有る。
【００２０】
手１８は、着用者６０の胴に２重に巻いて着用する。手１８は、着用者６０の胴に１周、２周と巻いて着用する形態であっても良く、手許で２重にしたものを着用者６０の胴に１周させ着用する形態でも良い。
【００２１】
手１８は、前半部２０、後半部２６を備え、前半部２０の表面２２及び裏面２４並びに後半部２６の表面２８及び裏面３０の４つの部位それぞれに、それぞれ異なる第一の柄Ａ、第二の柄Ｂ、第三の柄Ｃ及び第四の柄Ｄを重複しないように一つずつ配置する。このような構造を採用しているため、手１８は、前半部２０・後半部２６、表面２２、２８・裏面２４、３０のうち、どの面を表にして巻くかを適宜変更することによって、異なる４つの帯柄を楽しむことができる。
【００２２】
手先３２は、袋形の形状をしている。そのため、手先３２は、手先が成す袋３４をひっくり返すことによって、袋の外側３６と内側４２を相互に入れ替えることができる。
【００２３】
手先３２は、袋形であり、かつ、平面的な構造であるため、袋３４の外側表裏３８、４０の２つ、袋３４の内側表裏４４、４６の２つで、合計４つの面を備えている。そして、手先３２では、袋外側の表面３８・裏面４０、袋内側の表面４４・裏面４６の４つの面それぞれに、それぞれ異なる第一の柄Ａ、第二の柄Ｂ、第三の柄Ｃ及び第四の柄Ｄが重複しないように一つずつ配置される。このような構造を採用しているため、手先３２は、袋３４をひっくり返したり、着用の際表に出てくる部位を変更したりすることによって、異なる４つの帯柄の手先とすることができる。
【００２４】
手先３２は、袋３４の片側面だけに帯芯が装着される構造である。つまり、手先３２は、袋３４の外側表面３８・内側表面４４の間、又は袋３４の外側裏面４０・内側裏面４６の間のどちらか一方にのみ帯芯を装着する構造である。こうすることによって、手先３２の形を保たせた上で、手先３２の厚みを薄くすることができる（帯芯２枚分だけ薄くすることができる）ので、収納スペースを小さくすることができる。また、こうすることによって、袋３４がひっくり返し易くなるという効果も有る。
また、図１、３及び４で示すように、名古屋帯１は、垂れ２、手１８の前半部２０、手１８の後半部２６、手先３２の順序でひと続きになっている。
【００２５】
図３及び４で示すように、名古屋帯１の着用のし易さ（巻き易さ）、より具体的に言うと、垂れ２で作ったお太鼓の中への手先３２の納め易さを考慮すると、手先３２の表側に現れる柄は、手の前半部の表面２２又は手の後半部の裏面３０に配置されることが好適である。同じく、手先３２の裏側に現れる柄は、手の前半部の裏面２４又は手の後半部の表面２８に配置されるが好適である。ここで、手先３２の表側に現れる柄とは、手先３２が成す袋の外側表面３８又は手先３２が成す袋の内側表面４４に配置される柄であり、手先３２の裏側に現れる柄とは、手先３２が成す袋の外側裏面４０又は手先３２が成す袋の内側裏面４６に配置される柄である。
【００２６】
また、垂れ２、手１８、手先３２に配置される第一の柄Ａ、第二の柄Ｂ、第三Ｃの柄及び第四の柄Ｄは、それぞれ異なる生地（帯布）を使用する形態であっても良く、生地は同じであっても、例えばプリント柄などの様に、異なる模様が生地上に施される形態であっても良い。
（本実施の形態に係る名古屋帯の使用方法）
【００２７】
図５乃至１６を用いて、本実施の形態に係る名古屋帯１の使用方法（名古屋帯１の巻き方）について説明する。ここでは、図１乃至４で示されるように第一の柄Ａ、第二の柄Ｂ、第三の柄Ｃ及び第四の柄Ｄが配置された名古屋帯１の巻き方について説明する。ただし、名古屋帯１は、第一の柄Ａ、第二の柄Ｂ、第三の柄Ｃ及び第四の柄Ｄの配置が如何様であっても、表に出てくる柄が第一の柄Ａ、第二の柄Ｂ、第三の柄Ｃ及び第四の柄Ｄの何れか１つとなるように体に巻くことで、４つの帯柄を別々に楽しむことができる。
（１）第三の柄Ｃを表にする方法
【００２８】
図５乃至７を用いて、第三の柄Ｃを外に見せる帯の巻き方について説明する。図５乃至７は、第三の柄Ｃを表にして帯１を巻く方法を順を追って説明する図である。
第一の手順として、着用者６０は、第三の柄Ｃが表に出るように、必要に応じ垂れ２及び手先３２が成す袋４、３４をひっくり返し内側・外側を入れ替える。
第二の手順として、着用者６０は、図５で示すように、手１８を横にして名古屋帯１を置き、垂れ（お太鼓）２を垂直上方に跳ね上げる。
【００２９】
第三の手順として、着用者６０は、自分の胴周りの長さの紐を準備しておき、その紐を用いて手１８の長さを調節する。そして、着用者６０は、垂れ２の三角部の頂点の位置から、反対側（左側）へ不要分（余った手１８）を折り返してクリップで留める。
【００３０】
第四の手順として、着用者６０は、図６で示すように、垂れ２が成す袋の外側表面８に配置される柄Ｃを表にして、手１８を奥側（向こう側）に折る。そして、着用者６０は、図６で示すように、クリップを留め直す。
【００３１】
第五の手順として、着用者６０は、図７で示すように、垂れ２でお太鼓を作り、続いて、手先３２を折り、お太鼓２の中に入れる。このとき、垂れ２が成す袋の外側裏面１０に配置される柄Ｂは、内側に折り込むなどして、表に出て来ないようにする（外部から見えないようにする）。
【００３２】
第六の手順として、着用者６０は、ガーゼを掛けた帯枕、帯揚げ、帯締めをセットし、クリップ又は洗濯バサミでお太鼓２などの位置を固定する。そして、着用者６０は、自分の背中にお太鼓２を背負い、ガーゼを体の前で結ぶ。
【００３３】
第七の手順として、着用者６０は、２重に折った手１８を自分の胴の部分に巻き付け、背中のお太鼓２の中においてクリップで留める。その後、着用者６０は、帯締めを締めれば、帯１の着用作業は終了である。
（２）第二の柄Ｂを表にする方法
【００３４】
図８乃至１０を用いて、第二の柄Ｂを外に見せる帯の巻き方について説明する。図８乃至１０は、第二の柄Ｂを表にして帯１を巻く方法を順を追って説明する図である。
第一の手順として、着用者６０は、第二の柄Ｂが表に出るように、必要に応じ垂れ２及び手先３２が成す袋４、３４をひっくり返し内側・外側を入れ替える。
第二の手順として、着用者６０は、図８で示すように、手１８を横にして名古屋帯１を置き、垂れ（お太鼓）２を垂直上方に跳ね上げる。
【００３５】
第三の手順として、着用者６０は、自分の胴周りの長さの紐を準備しておき、その紐を用いて手１８の長さを調節する。そして、着用者６０は、垂れ２の三角部の頂点の位置から、反対側（右側）へ不要分（余った手１８）を折り返してクリップで留める。
【００３６】
第四の手順として、着用者６０は、図９で示すように、垂れ２が成す袋の外側裏面１０に配置される柄Ｂを表にして、手１８を奥側（向こう側）に折る。そして、着用者６０は、図９で示すように、クリップを留め直す。
【００３７】
第五の手順として、着用者６０は、図１０で示すように、垂れ２でお太鼓を作り、続いて、手先３２を折り、お太鼓２の中に入れる。このとき、垂れ２が成す袋の外側表面８に配置される柄Ｃは、内側に折り込むなどして、表に出て来ないようにする（外部から見えないようにする）。
【００３８】
第六の手順として、着用者６０は、ガーゼを掛けた帯枕、帯揚げ、帯締めをセットし、クリップ又は洗濯バサミでお太鼓２などの位置を固定する。そして、着用者６０は、自分の背中にお太鼓２を背負い、ガーゼを体の前で結ぶ。
【００３９】
第七の手順として、着用者６０は、２重に折った手１８を自分の胴の部分に巻き付け、背中のお太鼓２の中においてクリップで留める。その後、着用者６０は、帯締めを締めれば、帯１の着用作業は終了である。
（３）第四の柄Ｄを表にする方法
【００４０】
図１１乃至１３を用いて、第四の柄Ｄを外に見せる帯の巻き方について説明する。図１１乃至１３は、第四の柄Ｄを表にして帯１を巻く方法を順を追って説明する図である。
第一の手順として、着用者６０は、第四の柄Ｄが表に出るように、必要に応じ垂れ２及び手先３２が成す袋４、３４をひっくり返し内側・外側を入れ替える。
第二の手順として、着用者６０は、垂れ２が成す袋４、手先３２が成す袋３４をひっくり返して、袋の外側と内側を入れ替える。
第三の手順として、着用者６０は、図１１で示すように、手１８を横にして名古屋帯１を置き、垂れ（お太鼓）２を垂直上方に跳ね上げる。
【００４１】
第四の手順として、着用者６０は、自分の胴周りの長さの紐を準備しておき、その紐を用いて手１８の長さを調節する。そして、着用者６０は、垂れ２の三角部の頂点の位置から、手前側（右側）へ不要分（余った手１８）を折り返してクリップで留める。
【００４２】
第五の手順として、着用者６０は、図１２で示すように、垂れが成す袋の内側表面１４に配置される柄Ｄを表にして、手１８を手前側（こちら側）に折る。そして、着用者６０は、図１２で示すように、クリップを留め直す。
【００４３】
第六の手順として、着用者６０は、図１３で示すように、垂れ２でお太鼓を作り、続いて、手先３２を折り、お太鼓２の中に入れる。このとき、垂れ２が成す袋の内側裏面１６に配置される柄Ａは、内側に折り込むなどして、表に出て来ないようにする（外部から見えないようにする）。
【００４４】
第七の手順として、着用者６０は、ガーゼを掛けた帯枕、帯揚げ、帯締めをセットし、クリップ又は洗濯バサミでお太鼓２などの位置を固定する。そして、着用者６０は、自分の背中にお太鼓２を背負い、ガーゼを体の前で結ぶ。
【００４５】
第八の手順として、着用者６０は、２重に折った手１８を自分の胴の部分に巻き付け、背中のお太鼓２の中においてクリップで留める。その後、着用者６０は、帯締めを締めれば、帯１の着用作業は終了である。
（４）第一の柄Ａを表にする方法
【００４６】
図１４乃至１６を用いて、第一の柄Ａを外に見せる帯の巻き方について説明する。図１４乃至１６は、第一の柄Ａを表にして帯１を巻く方法を順を追って説明する図である。
第一の手順として、着用者６０は、第一の柄Ａが表に出るように、必要に応じ垂れ２及び手先３２が成す袋４、３４をひっくり返し内側・外側を入れ替える。
第二の手順として、着用者６０は、図１４で示すように、手１８を横にして名古屋帯１を置き、垂れ（お太鼓）２を垂直上方に跳ね上げる。
【００４７】
第三の手順として、着用者６０は、自分の胴周りの長さの紐を準備しておき、その紐を用いて手１８の長さを調節する。そして、着用者６０は、垂れ２の三角部の頂点の位置から、手前側（左側）へ不要分（余った手１８）を折り返してクリップで留める。
【００４８】
第四の手順として、着用者６０は、図１５で示すように、垂れ２が成す袋の内側裏面１６に配置される柄Ａを表にして、手１８を手前側（こちら側）に折る。そして、着用者６０は、図１５で示すように、クリップを留め直す。
【００４９】
第五の手順として、着用者６０は、図１６で示すように、垂れ２でお太鼓を作り、続いて、手先３２を折り、お太鼓２の中に入れる。このとき、垂れ２が成す袋の内側表面１４に配置される柄Ｄは、内側に折り込むなどして、表に出て来ないようにする（外部から見えないようにする）。
【００５０】
第六の手順として、着用者６０は、ガーゼを掛けた帯枕、帯揚げ、帯締めをセットし、クリップ又は洗濯バサミでお太鼓２などの位置を固定する。そして、着用者６０は、自分の背中にお太鼓２を背負い、ガーゼを体の前で結ぶ。
【００５１】
第七の手順として、着用者６０は、２重に折った手１８を自分の胴の部分に巻き付け、背中のお太鼓２の中においてクリップで留める。その後、着用者６０は、帯締めを締めれば、帯１の着用作業は終了である。
（総括）
名古屋帯１は、見せたい柄が表となるように帯を巻けば良いため、装着動作が容易である。
【００５２】
名古屋帯１は、垂れ２、手先１８が成す袋４、３４をひっくり返すという簡単な操作によって、袋の内側１２、４２に配置された柄を裏側から表側に移行することができるため、取り扱いが容易である。
名古屋帯１は、名古屋仕立ての名古屋帯１本で、４種類の模様（帯柄）を手軽に楽しむことができる。
【００５３】
名古屋帯１は、少量の４種類の布（通常の付け帯で使用する布量の４分の１）を寄せ集めて作成することが可能であるため、帯用反物以外の布、例えば、着物羽織のリサイクル、洋服地などを材料として、仕立てることができる。
【００５４】
名古屋帯１は、４種類の模様を楽しむ場合、１本につき１種類の模様しか楽しめない通常の帯と比較して、収納スペースが４分の１で済み、省スペース性に優れる。
【００５５】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００５６】
１    名古屋帯
２    垂れ
４    垂れが成す袋
６    垂れが成す袋の外側
８    垂れが成す袋の外側の表面
１０  垂れが成す袋の外側の裏面
１２  垂れが成す袋の内側
１４  垂れが成す袋の内側の表面
１６  垂れが成す袋の内側の裏面
１８  手
２０  手の前半部
２２  手の前半部の表面
２４  手の前半部の裏面
２６  手の後半部
２８  手の後半部の表面
３０  手の後半部の裏面
３２  手先
３４  手先が成す袋
３６  手先が成す袋の外側
３８  手先が成す袋の外側の表面
４０  手先が成す袋の外側の裏面
４２  手先が成す袋の内側
４４  手先が成す袋の内側の表面
４６  手先が成す袋の内側の裏面
６０  付け帯の着用者
６２  クリップ
Ａ    第一の柄
Ｂ    第二の柄
Ｃ    第三の柄
Ｄ    第四の柄
【図１】
2014088642.tif 000003
【図２】
2014088642.tif 000004
【図３】
2014088642.tif 000005
【図４】
2014088642.tif 000006
【図５】
2014088642.tif 000007
【図６】
2014088642.tif 000008
【図７】
2014088642.tif 000009
【図８】
2014088642.tif 000010
【図９】
2014088642.tif 000011
【図１０】
2014088642.tif 000012
【図１１】
2014088642.tif 000013
【図１２】
2014088642.tif 000014
【図１３】
2014088642.tif 000015
【図１４】
2014088642.tif 000016
【図１５】
2014088642.tif 000017
【図１６】
2014088642.tif 000018